(57)【要約】      （修正有）【課題】タイルの角を弧状に切断できる装飾改装用の室内用タイルカッターを提供する。【解決手段】複数の成形ガイドレールロッド２が必要な弧状レールを形成するように、事前に手動で成形ガイドレールロッド２を調整し、スライド部品８により、磁石を取り付け、スライド部品８を駆動し、成形ガイドレールで形成された弧状レールに沿ってスライドさせて、トップロッド９の上端をスライド板４の上側に挟み込んで成形ガイドレールロッド２と同じ弧状のレールが形成される。次に、スライド部品８にカッターが取り付けられ、タイルをトップロッド９の上側に配置され、スライド部品８を駆動し、カッターによりタイルの上側を弧状の形に切断し、タイルの両側を手動で押し下げてタイルを折ることでタイルの角を弧状に切断できる。【選択図】図２
2020142509.tif 000002
【特許請求の範囲】
【請求項１】
押し板、成形ガイドレールロッド、スライド板、底板、支えガイド板、トップロッド、スライド部品、固定板からなり、
支えガイド板には、円形ガイド穴が等間隔で設けられ、
支えガイド板は平地上に置かれ、
底板には、等間隔で上下に貫通する複数の第1キースロット穴が設けられ、
底板は、支えガイド板の上面側に取り付けられ、
底板の第1キースロット穴は、支えガイド板の円形ガイド穴とそれぞれ対応し、それに第1キースロット穴の円弧半径は、円形ガイド穴の半径と同じであり、
スライド板には、等間隔で上下に貫通する複数の第2キースロット穴が設けられ、
スライド板は、底板の上面側に取り付けられ、スライド板の第2キースロット穴は、底板の第1キースロット穴とそれぞれ対応し、
底板の第1キースロット穴には、強磁性体からなる一つのトップロッドが取り付けられ、
取付ロッドの上端には、上側面に傾斜面があるリミットブロックが取り付けられ、
リミットブロックと、取付ロッドの間に、圧縮可能な第1リセットバネが取り付けられ、
初期状態では、トップロッドの上端と、底板の上面は同じ高さの水平面に位置し、
リミットブロックは、底板の第1キースロット穴内に位置し、
固定板の上端は、複数の挟みスロットが等間隔で設けられ、
固定板は、支えガイド板の片側に設置され、
成形ガイドレールロッドの一端の下側には、連接柱が取り付けられ、
連接柱の下側には、円柱サポートが取り付けられ、
複数の成形ガイドレールロッドが、固定板に等間隔に設置され、円柱サポートのない側の成形ガイドレールロッドの一端が、固定板の挟みスロットに嵌め込まれ、
押し板の下側面には、押しブロックが取り付けられ、複数の押し板は、押しブロックにより、取付板の挟みスロットと協働し、取付板に取り付けられ、
押し板の押しブロックは、成形ガイドレールロッドと対応し、
押し板の下端と、固定板の上側面には、４つの押しバネが取り付けられ、
押しブロックは、それぞれに、下側面に傾斜面があるリミット挟みブロックが取り付けられ、
リミット挟みブロックは、対応する押しブロックの間に、それぞれ第2リトラクティングバネが取り付けられ、
取付板は固定板の片側に取り付けられ、取付方形板の上端の側面には、上側面に複数の傾斜面があるリミットストップブロックが等間隔で取り付けられ、
取付方形板は取付板に取り付けられ、取付方形板と取付板の間に、第2リセットバネが取り付けられ、
取付方形板に取り付けられたリミットストップブロックは、押し板に取り付けられたリミット挟みブロックと、それぞれ対応し、
スライド部品には、ストップロッドを駆動し、調整するための磁石と、タイルを切断するためのカッターを取り付けるためのネジ穴を有し、
スライド部品と成形ガイドレールロッドが協働する
ことを特徴とする室内用タイルカッター。
【請求項２】
ガイドサポートには、複数のガイドシェルが等間隔に取り付けられ、
ガイドサポートは、支えガイド板に取り付けられ、
ガイドシェルにより、成形ガイドレールロッドをガイドする
ことを特徴とする請求項１に記載の室内用タイルカッター。
【請求項３】
支えガイド板の取付板から離れた端部には、二つの挟み板が対称的に取り付けられ、
挟み板には、U字型の挟みスロットが形成される。
ことを特徴とする請求項１に記載の室内用タイルカッター。
【発明の詳細な説明】
【技術分野】
【０００１】
本発明は、タイルカッターの技術分野に属し、特に、装飾改装用の室内用タイルカッターに関する。
【背景技術】
【０００２】
一般的な室内装飾改装では、床や特別な壁の滑らかさを確保するために、タイルで覆う必要があり、これにより床や壁面がきれいに見えるようになる。
タイルを貼りつける時には、床、壁のサイズに合わせるため、タイルを切断する必要がある。
普通のタイルカッターは、タイルの切断作業中に、直線にのみ切断でき、タイルの角も、直線にしか切断できない。
タイルの角を弧状に切断する必要がある場合、通常のタイルカッターでは、非常に難しい。
そのため、指定された円弧に沿って切断できるタイルカッターを設計する必要がる。
【０００３】
そこで、特許文献１には、モーターとカッターブレイドによるカッター機構、カットされるタイルを置く作業台、ブレード冷却液を入れる作業台の下に設置される機構の３つの構成からなるタイルカッターが開示されている。
モーターで駆動され、タイルをカットしながら、カッターブレイドが熱くなりすぎないように冷却液で冷却できる。
【０００４】
特許文献１の発明によれば、角が丸いタイルも、正確な曲線に沿ってカットできる。
また、カットのために使用するガイドレールを一個ずつ固定できるため、切断中のタイルの固定位置がずれることを防ぐことができる。
しかし、特許文献1の発明では、複雑な曲線をカットできず、また使い勝手が悪い。
【先行技術文献】
【特許文献】
【０００５】
【特許文献１】CN 108724504A公報（出願番号CN 201810326766.7）
【発明の概要】
【発明が解決しようとする課題】
【０００６】
そこで、本発明は、上記問題を解決するため、新たな装飾改装用の室内用タイルカッターを提供することを課題とする。
【課題を解決するための手段】
【０００７】
従来技術における上記の欠点を解決するために、本発明の装飾改装用の室内用タイルカッターは、以下の技術的な解決策を講じている。
【０００８】
なお、本発明の説明において、「内」、「下」、「上」など方位と位置関係を指示する用語は、図面に示される方位や作業中によく置く方位、位置関係に基づくものである。
「第1」、「第2」などの用語は、説明を区別するためにのみ使用され、相対的な重要性を示したり、暗示することを意味するものではない。
【０００９】
本発明にかかる室内用タイルカッターは、押し板、成形ガイドレールロッド、スライド板、底板、支えガイド板、トップロッド、スライド部品、固定板からなる。
支えガイド板には、円形ガイド穴が等間隔で形成されている。
支えガイド板の円形ガイド穴の働きは、トップロッドをガイドすることである。
支えガイド板は平地上に置かれる。
【００１０】
底板には、等間隔で形成された上下に貫通する複数の第1キースロット穴が設けられる。
底板は、支えガイド板の上面側に取り付けられる。
底板の第1キースロット穴は、支えガイド板の円形ガイド穴とそれぞれ対応し、それに第1キースロット穴の円弧半径は、円形ガイド穴の半径と同じである。
【００１１】
スライド板には、等間隔で形成された上下に貫通する複数の第2キースロット穴が設けられる。
スライド板は、底板の上面側に取り付けられ、スライド板の第2キースロット穴は、底板の第1キースロット穴とそれぞれ対応する。
底板の第1キースロット穴には、一つのトップロッドが取り付けられる。
トップロッドは強磁性体である。
【００１２】
トップロッドが磁石に引き付けられた後、トップロッドのリミットブロックの下側が、スライド板よりも高くなるため、トップロッドの上端が、スライド板の上側に引っ掛かり、一部のトップロッド9によって、スライド板に、円弧サポートラインを形成する。
タイルが切断された後、タイルの両端が押され、トップロッドで形成された円弧サポートラインにより、タイルを円弧ラインに沿って折ることができる。
【００１３】
取付ロッドの上端には、上側面に傾斜面があるリミットブロックが取り付けられる。
リミットブロックと、取付ロッドの間に、圧縮可能な第1リセットバネが取り付けられる。
初期状態では、トップロッドの上端と、底板の上面は同じ高さの水平面に位置する。
リミットブロックは、底板の第1キースロット穴内に位置する。
【００１４】
固定板の上端は、複数の挟みスロットが等間隔で形成されている。
固定板は、支えガイド板の片側に設置される。
固定板は、成形ガイドレールロッドを固定する。
成形ガイドレールロッドの一端の下側には、連接柱が取り付けられる。
連接柱の下側には、円柱サポートが取り付けられる。
【００１５】
複数の成形ガイドレールロッドが、固定板に等間隔に設置され、円柱サポートのない側の成形ガイドレールロッドの一端が、固定板の挟みスロットに嵌め込まれる。
使用前には、成形ガイドレールロッドを手動で調整して、成形ガイドレールロッドを前後にスライドさせる。
調整が完了した後、成形ガイドレールロッドの一端を、押し板で固定する。
【００１６】
成形ガイドレールロッドは、一つずつ固定することができる。
そのため、調整中に、隣接する成形ガイドレールロッド同士が影響して位置がずれるようなことがなく、最後に、成形ガイドレールロッドが、円柱サポートを駆動することで、円弧状のレールを形成する。
押し板の下側面には、押しブロックが取り付けられ、複数の押し板は、押しブロックにより、取付板の挟みスロットと協働し、取付板に取り付けられる。
押しブロックは、取付板と協働する。
【００１７】
押し板の押しブロックは、成形ガイドレールロッドと対応する。
成形ガイドレールロッドの調整が完了した後、押し板により押しブロックを駆動して、押しブロックが成形ガイドレールロッドを固定する。
押し板の下端と、固定板の上側面には、４つの押しバネが取り付けられる。
押しバネの働きは、押し板を引っ込めることである。
押しブロックは、それぞれに、下側面に傾斜面があるリミット挟みブロックが取り付けられる。
【００１８】
リミット挟みブロックは、対応する押しブロックの間に、それぞれ第2リトラクティングバネが取り付けられる。
第2リトラクティングバネの働きは、リミット挟みブロックを引っ込めることである。
取付板は固定板の片側に取り付けられ、取付方形板の上端の側面には、上側面に複数の傾斜面があるリミットストップブロックが等間隔で取り付けられる。
押し板が成形ガイドレールロッドを押し下げる時、押し板の下側の押しブロックに取り付けられたリミット挟みブロックが、対応するリミットストップブロックを押す。
【００１９】
リミットストップブロックは、第２リセットバネの作用で、リミット挟みブロックに対しては静止するため、リミット挟みブロックは、リミットストップブロックから遠い側に移動する。
リミット挟みブロックが、対応するリミットストップブロックから完全に外れると、リミット挟みブロックは、対応する第2リトラクティングバネの作用で、再び移動し、リミットストップブロックの下側に引っかかり、リミットストップブロックと、リミット挟みブロックの間の直接の接触によって、リミットストップブロックはリミット挟みブロックを制限する。
【００２０】
取付方形板は取付板に取り付けられ、取付方形板と取付板の間に、第2リセットバネが取り付けられる。
第2リセットバネの働きは、取付方形板をリセットすることである。
取付方形板に取り付けられたリミットストップブロックは、押し板に取り付けられたリミット挟みブロックと、それぞれ対応する。
【００２１】
上記のスライド部品には、ストップロッドを駆動し、調整するための磁石と、タイルを切断するためのカッターを取り付けるためのネジ穴を有する。
スライド部品と成形ガイドレールロッドは協働する。
スライド部品は、一方では、磁石を設置することにより、成形ガイドレールロッドに沿って、スライドさせることができ、磁石によって、対応するトップロッドの上端を、スライド板の上側に引き寄せる 。
また、カッターの取付により、トップロッドに取り付けられたタイルを切断する。
【００２２】
本発明の技術をさらに最適化するため、ガイドサポートには、複数のガイドシェルが等間隔で取り付けられ、ガイドサポートは、支えガイド板に取り付けられ、ガイドシェルにより、成形ガイドレールロッドをガイドする。
【００２３】
本発明の技術をさらに最適化するため、支えガイド板の取付板から離れた端部には、二つの挟み板が対称的に取り付けられる。
挟み板には、U字型の挟みスロットが形成される。
挟み板は、スライド板を簡単に固定する。
【００２４】
本発明の技術をさらに最適化するため、リセットバネは圧縮バネを用いる。
【００２５】
本発明の技術をさらに最適化するため、支えガイド板の下端に、方形槽を設ける。
方形槽の上側面と、支えガイド板の上側面の間に、複数の円形ガイド穴が等間隔に設けられる。
底板の両側に、2つのガイドレール槽が、対称的に設けられる。
底板は、支えガイド板の上側に設けられる。
スライド板の両側に、2つのスライドガイドレールが、対称的に設けられる。
スライド板は、2つのスライドガイドレールと2つのガイドレール槽がスライドするように底板の上側に設けられる。
【００２６】
スライド板は、底板に対して、限界状態までスライドするとき、つまり、スライドガイドレールの一端が、スライド過程で、対応するガイドレール槽の端面と完全に重なる時、スライド板の第２キースロット穴と、底板の第１キースロット穴が、ちょうど重なり、完全な円形の穴になる。
【００２７】
底板の第1キースロット穴には、一つのトップロッドが取り付けられる。
初期状態では、トップロッドの下端は、支えガイド板の円形ガイド穴を貫通し、支えガイド板の方形槽の下側面に位置する。
支えガイド板の方形槽の働きは、その下側面により、初期状態でのトップロッドを支えることである。
【００２８】
スライド板は、スライドガイドレールとガイドレール槽の協働により、底板にスライドすることができる。
スライド板が、底板に対して限界状態までスライドすると、スライド板の第２キースロット穴と、底板の第1キースロット穴が、ちょうど重なって、完全な円形の穴になる。
【００２９】
この円形の穴は、一方では、トップロッドがスムーズに上方に移動することが保証され、同時に、スライド板がガイドレール槽に沿って方向を制限されると、トップロッドが上方に移動して、この円形により、トップロッドのリミットブロックを押し、リミットブロックを回収する。
【００３０】
トップロッドのリミットブロックは、スライド板の上側に完全に移動すると、リミットブロックはスライドして、この円形によりリミットブロックをブロックし、スライド板の第２キースロット穴が大きいため、再び落ちることがない。
【００３１】
本発明の技術をさらに最適化するため、固定板は、挟みスロットの一端に、挟みスロットを貫通するスライド槽を設ける。
スライド槽の両端は、２つの挟みスロットの外側面まで設けられる。
押しブロックに方形取付槽を設ける。
方形取付槽の両側面には、2つの方形ガイド槽が対称的に設けられる。
【００３２】
押しブロックの下端の両側には、2つのガイドブロックが対称に取り付けられる。
複数の押し板は、押しブロックにより、取付板の挟みスロットと協働し、取付板に取り付けられる。
押しブロックのガイドブロックは、取付板のスライド槽と協働する。
押し板の下端と、固定板の上側面に取り付けられた4つの圧縮バネは、ペアで対称的に押しブロックの両側に配置される。
【００３３】
各押しブロックの方形取付槽に、リミット挟みブロックが取り付けられ、リミット挟みブロックの2つの両側面に、2つのガイドブロックが対称的に取り付けられる。
2つのガイドブロックは、押しブロックの方形ガイド槽と協働する。
リミット挟みブロックは、対応する方形取付槽の底側面の間に、一つの第2リトラクティングバネが取り付けられる。
【００３４】
本発明の技術をさらに最適化するため、スライド部品は、駆動ハンドル、方形ブロック、弧状台形ガイド槽、ねじ穴からなる。
方形ブロックの上側には、弧状台形ガイド槽が設けられる。
方形ブロックの下側には、ねじ穴が設けられる。
方形ブロックの片側には、手動操作に便利な駆動ハンドルが設けられる。
方形ブロックは、弧状台形ガイド槽により、成形ガイドレールロッドに取り付けられた円柱サポートにスライドする。
【００３５】
ねじ穴により、ストップロッドを駆動し、調整するための磁石と、タイルを切断するためのカッターを取り付けることができる。
弧状台形槽は、スライドプロセス中に、2つの隣接する円柱サポートが、同じ直線にないため、スライド部品が詰まることを避ける。
【００３６】
本発明の技術をさらに最適化するため、トップロッドは、取付ロッド、第1リセットバネ、リミットブロック、リミット槽、リミットガイド槽、リミットガイドブロックからなる。
取付ロッドの一端の外側の円形表面にリミット槽を有する。
リミット槽の両側面に、 2つのリミットガイド槽が対称に設けられる。
【００３７】
リミットブロックの一端には、45度の傾斜面があり、傾斜面のないリミットブロックの一端には、2つのリミットガイドブロックが対称的に取り付けられる。
リミットブロックは2つのミットガイドブロックによりリミット槽と協働して取付ロッドに取り付けられ、リミットブロックとリミット槽の底側面の間に、一つの第１リセットバネが取り付けられる。
【００３８】
本発明の技術をさらに最適化するため、取付板の上側面には、４つの台形ガイド槽が等間隔に設けられる。
取付方形板には、方形回避槽が設けられる。
方形回避槽によって、成形ガイドレールロッドが取付方形板と干渉することを避ける。
取付方形板の下側に、4つの台形ガイドブロックが等間隔に取り付けられ、取付方形板が、台形ガイドブロックと台形ガイド槽の協働により、取付板に取り付けられ、台形ガイドブロックと対応する台形ガイド槽の間に、第２リセットバネが取り付けられる。
【００３９】
本発明の技術をさらに最適化するため、磁石とカッターには、ネジ取付ロッドが取り付けられる。
ネジ取付ロッドの機能は、磁石とカッターの取り付けを容易にすることである。
【発明の効果】
【００４０】
本発明のタイルカッターは、事前に手動で成形ガイドレールロッドを調整し、複数の成形ガイドレールロッドが、作業者が所望の円弧状のトラックに形成し、その後、スライド部品により磁石を取り付け、スライド部品を駆動し、成形ガイドレールによって形成された弧状のレールに沿ってスライドさせ、スライド中に、磁石により底板にあるトップロッドが吸い上げられ、トップロッドの上端が、スライド板の上側に引っかかり、成形ガイドレールロッドと同じ弧状のレールになる。
【００４１】
その後、スライド部品にカッターが取り付けられ、タイルがトップロッドの上側に配置され、スライド部品を駆動し、成形ガイドレールで形成されたレールに沿ってスライドさせる。
スライドプロセス中のカッターによって、タイルの上側を弧状の形に切断し、タイルの両側を手動で押し下げ、トップロッドで形成された弧状レールに沿ってタイルを折る。
【００４２】
これにより、タイルの角を弧状に切断できる。
様々な型のタイルに切断することができ、これらのタイルを組み合わせることにより、新たなデザインが形成され、より美しい床面や壁面を作り出すことができる。
【図面の簡単な説明】
【００４３】
【図１】部品全体の外観の説明図である。
【図２】部品全体の構成の説明図である。
【図３】成形ガイドレールロッドの構成の説明図である。
【図４】ガイドシェルの取付状態の説明図である。
【図５】円柱サポートの取付状態の説明図である。
【図６】スライド部品の作業の説明図である。
【図７】スライド部品の構造の説明図である。
【図８】磁石とスライド部品の取付状態の説明図である。
【図９】押し板の取付状態の説明図である。
【図１０】押しブロックの取付状態の説明図である。
【図１１】固定板の構造の説明図である。。
【図１２】押しブロックの取付状態の説明図である。
【図１３】トップロッドの構成の説明図である。
【図１４】トップロッドの取付状態の説明図である。
【図１５】支えガイド板の構造の説明図である。
【図１６】スライド板と底板の動作状況の説明図である。
【図１７】底板の構造の説明図である。
【図１８】スライド板の構造の説明図である。
【図１９】リミットブロックの取付状態の説明図である。
【図２０】取付ロッドの構造の説明図である。
【図２１】リセットバネの取付状態の説明図である。
【図２２】磁石体の取付状態の説明図である。
【図２３】カッターの取付状態の説明図である。
【図２４】カッターとスライド部品の取付状態の説明図である。
【図２５】第1リトラクティングバネの取付状態の説明図である。
【図２６】リミット挟みブロックとリミットストップブロックの動作状態の説明図である。
【図２７】リミットストップブロックの取付状態の説明図である。
【図２８】取付板の構造の説明図である。
【図２９】取付板の取付状態の説明図である。
【図３０】取付方形板の取付状態の説明図である。
【発明を実施するための形態】
【００４４】
本発明の実施例を、図を参照して説明する。
以下に説明する実施例は、本発明の一実施例であり、全ての実施例ではない。
本発明の実施例に基づき、当業者が容易に想到できる全ての実施例は、本発明の保護範囲内に属する。
【００４５】
以下は、図面をもとに、本発明の具体的な実施方法をさらに詳しく説明する。
以下の実施例は、本発明を説明するために使用されるが、本発明の範囲を限定するものではない。
【００４６】
図１、図２に示すとおり、本発明のタイルカッターは、押し板1、成形ガイドレールロッド2、スライド板4、底板5、支えガイド板7、トップロッド9、スライド部品8、固定板10からなる。
図15に示すとおり、支えガイド板には、円形ガイド穴26を等間隔で形成されている。
支えガイド板7の円形ガイド穴26の働きは、トップロッド9をガイドすることである。
支えガイド板7は平地上に置かれる。
【００４７】
図17に示すとおり、底板5には、等間隔で形成された上下に貫通する複数の第1キースロット穴28が設けられる。
底板5は、支えガイド板7の上面側に取り付けられる。
底板5の第1キースロット穴28は、支えガイド板7の円形ガイド穴26とそれぞれ対応し、それに第1キースロット穴28の円弧半径は、円形ガイド穴26の半径と同じである。
【００４８】
図18に示すとおり、スライド板4には、等間隔で形成された上下に貫通する複数の第2キースロット穴31が設けられる。
図16に示すとおり、スライド板4は、底板5の上面側に取り付けられ、スライド板4の第2キースロット穴31は、底板5の第1キースロット穴28とそれぞれ対応する。
図13に示すとおり、底板5の第1キースロット穴28には、一つのトップロッド9が取り付けられる。
トップロッド9は強磁性体である。
【００４９】
トップロッド9が磁石17に引き付けられた後、トップロッド9のリミットブロック34の下側が、スライド板4よりも高くなるため、トップロッド9の上端が、スライド板4の上側に引っ掛かり、一部のトップロッド9によって、スライド板4に、円弧サポートラインを形成する。
タイルが切断された後、タイルの両端が押され、トップロッド9で形成された円弧サポートラインにより、タイルを円弧ラインに沿って折ることができる。
【００５０】
図19に示すとおり、取付ロッド32の上端には、上側面に傾斜面があるリミットブロック34が取り付けられる。
リミットブロック34と、取付ロッド32の間に、圧縮可能な第1リセットバネ33が取り付けられる。
初期状態では、図14に示すとおり、トップロッド9の上端と、底板5の上側面は同じ高さの水平面に位置する。
リミットブロック34は、底板5の第1キースロット穴28内に位置する。
【００５１】
図11に示すとおり、固定板10の上端は、複数の挟みスロット21が等間隔で形成される。
図1に示すとおり、固定板10は、支えガイド板7の片側に設置される。
固定板10は、成形ガイドレールロッド2を固定する。
図5に示すとおり、成形ガイドレールロッド2の一端の下側には、連接柱12が取り付けられる。
連接柱12の下側には、円柱サポート13が取り付けられる。
【００５２】
図9、10に示すとおり、複数の成形ガイドレールロッド2が、固定板10に等間隔に設置され、円柱サポート13のない側の成形ガイドレールロッド2の一端が、固定板10の挟みスロット21に嵌め込まれる。
使用前には、成形ガイドレールロッド2を手動で調整して、成形ガイドレールロッド2を前後にスライドさせる。
調整が完了した後、成形ガイドレールロッド2の一端を、押し板1で固定する。
【００５３】
本発明の成形ガイドレールロッド2は、一つずつ固定することができる。
そのため、調整中に、隣接する成形ガイドレールロッド2同士が影響して位置がずれるようなことがなく、最後に、成形ガイドレールロッド2が、円柱サポート13を駆動することで、円弧状のレールを形成する。
図12に示すとおり、押し板1の下側面には、押しブロック24が取り付けられ、図9に示すとおり、複数の押し板1は、押しブロック24により、取付板41の挟みスロット21と協働し、取付板41に取り付けられる。
押しブロック24は取付板41と協働する。
【００５４】
押し板1の押しブロック24は、成形ガイドレールロッド2と対応する。
成形ガイドレールロッド2の調整が完了した後、押し板1により押しブロック24を駆動して、押しブロック24が成形ガイドレールロッド2を固定する。
図12に示すとおり、押し板1の下端と、固定板10の上側面には、４つの押しバネ23が取り付けられる。
押しバネ23の働きは、押し板1を引っ込めることである。
図12に示すとおり、各押しブロック24は、それぞれに、下側面に傾斜面があるリミット挟みブロック6が取り付けられる。
【００５５】
リミット挟みブロック6は、対応する押しブロック24の間に、それぞれ第2リトラクティングバネ42が取り付けられる。
第2リトラクティングバネ42の働きは、リミット挟みブロック6を引っ込めることである。
図29に示すとおり、取付板41は固定板10の片側に取り付けられ、図27に示すとおり、取付方形板45の上端の側面には、上側面に複数の傾斜面があるリミットストップブロック44が等間隔で取り付けられる。
押し板1が成形ガイドレールロッド2を押し下げる時、押し板1の下側の押しブロック24に取り付けられたリミット挟みブロック6が、対応するリミットストップブロック44を押す。
【００５６】
リミットストップブロック44は、第２リセットバネ43の作用で、リミット挟みブロック6に対しては静止するため、リミット挟みブロック6は、リミットストップブロック44から遠い側に移動する。
リミット挟みブロック6が、対応するリミットストップブロック44から完全に外れると、リミット挟みブロック6は、対応する第2リトラクティングバネ42の作用で、再び移動し、リミットストップブロック44の下側に引っかかり、リミットストップブロック44と、リミットス挟みブロック6の間の直接の接触によって、リミットストップブロック44はリミットス挟みブロックを制限する。
【００５７】
図30に示すとおり、取付方形板45は取付板41に取り付けられ、取付方形板45と取付板41の間に、第2リセットバネ43が取り付けられる。
第2リセットバネ43の働きは、取付方形板45をリセットすることである。
取付方形板45に取り付けられたリミットストップブロック44は、押し板1に取り付けられたリミット挟みブロック6と、それぞれ対応する。
【００５８】
図8、24に示すとおり、上記のスライド部品8には、ストップロッド9を駆動し、調整するための磁石17と、タイルを切断するためのカッターガイド槽39を取り付けるためのネジ穴16を有する。
図6に示すとおり、スライド部品8と成形ガイドレールロッド2は協働する。
スライド部品8は、一方では、磁石17を設置することにより、成形ガイドレールロッドに沿って、スライドさせることができ、磁石17によって、対応するトップロッド9の上端を、スライド板4の上側に引き寄せる 。
また、カッターガイド槽39の取り付けにより、トップロッド9に取り付けられたタイルを切断する。
【００５９】
本発明のタイルカッターは、事前に手動で成形ガイドレールロッド2を調整し、複数の成形ガイドレールロッド2が、円柱サポート13を駆動し、作業者が所望の円弧状のトラックに形成し、その後、スライド部品8により磁石17を取り付け、スライド部品8を駆動し、成形ガイドレール2によって形成された弧状のレールに沿って、円柱サポート13を駆動し、スライドさせる。
【００６０】
スライド中に、磁石17により底板5にあるトップロッド9が吸い上げられ、トップロッド9の上端が、スライド板4の上側に引っかかり、円柱サポート13を駆動し、成形ガイドレールロッド2と同じ弧状のレールになる。
【００６１】
その後、スライド部品8にカッターガイド槽39が取り付けられ、タイルがトップロッド9の上側に配置され、スライド部品8を駆動し、成形ガイドレールで形成されたレールに沿ってスライドさせる。
スライドプロセス中にカッターガイド槽39によって、タイルの上側を弧状の形に切断し、タイルの両側を手動で押し下げて、トップロッド9で形成された弧状レールに沿って、タイルを折る。
これにより、タイルの角を弧状に切断できる。
【００６２】
図29に示すとおり、ガイドサポート3には、複数のガイドシェル11が等間隔に取り付けられ、図3に示すとおり、ガイドサポート3には、支えガイド板7が取り付けられ、ガイドシェル11により、成形ガイドレールロッド2をガイドする。
【００６３】
図15に示すとおり、上記の支えガイド板7の取付板41から離れた端部には、２つの挟み板25が対称的に取り付けられる。
挟み板25は、U字型の挟みスロット21が形成される。
挟み板25は、スライド板4を簡単に固定できる。
上記のリセットバネは圧縮バネを用いる。
【００６４】
図15に示すとおり、上記の支えガイド板7の下端に、方形槽27を設ける。
方形槽27の上側面と、支えガイド板7の上側面の間に、複数の円形ガイド穴26が等間隔に設けられる。
図17に示すとおり、底板5の両側に、2つのガイドレール槽29が、対称的に設けられる。
底板5は、支えガイド板7の上側に設けられる。
図18に示すとおり、スライド板4の両側に、2つのスライドガイドレール30が、対称的に設けられる。
図16に示すとおり、スライド板4は、2つのスライドガイドレール30と2つのガイドレール槽29がスライドするように底板5の上側に設けられる。
【００６５】
スライド板4は、底板5に対して、限界状態までスライドするとき、つまり、スライドガイドレール30の一端が、スライド過程で、対応するガイドレール槽29の端面と完全に重なる時、スライド板4の第２キースロット穴31と、底板5の第１キースロット穴28が、ちょうど重なり、完全な円形の穴になる。
【００６６】
図13に示すとおり、底板5の第1キースロット穴28には、一つのトップロッド9が取り付けられる。
初期状態では、トップロッド9の下端は、支えガイド板7の円形ガイド穴26を貫通し、支えガイド板7の方形槽27の下側面に位置する。
支えガイド板7の方形槽27の働きは、その下側面により、初期状態でのトップロッドを支えることである。
【００６７】
スライド板4は、スライドガイドレール30とガイドレール槽29の協働により、底板5にスライドすることができる。
スライド板4が、底板に対して限界状態までスライドすると、スライド板4の第２キースロット穴31と、底板5の第1キースロット穴28が、ちょうど重なって、完全な円形の穴になる。
【００６８】
この円形の穴は、一方では、トップロッド9がスムーズに上方に移動することが保証され、同時に、スライド板4がガイドレール槽29に沿って方向を制限されると、トップロッド9が上方に移動して、この円形により、トップロッド9のリミットブロック34を押し、リミットブロック34を回収する。
【００６９】
トップロッド9のリミットブロック34は、スライド板4の上側に完全に移動すると、リミットブロック34はスライドして、この円形によりリミットブロック34をブロックし、スライド板4の第２キースロット穴31が大きいため、再び落ちることがない。
【００７０】
図11に示すとおり、上記の固定板10は、挟みスロット21の一端に、挟みスロット21を貫通するスライド槽22を設ける。
スライド槽22の両端は、２つの挟みスロット21の外側面まで設けられる。
図17に示すとおり、押しブロック24に方形取付槽を設ける。
方形取付槽の両側面には、2つの方形ガイド槽が対称的に設けられる。
【００７１】
図12に示すとおり、押しブロック24の下端の両側には、2つのガイドブロック19が対称に取り付けられる。
図10に示すとおり、複数の押し板1は、押しブロック24により、取付板41の挟みスロット21と協働し、取付板41に取り付けられる。
押しブロック24のガイドブロック19は、取付板41のスライド槽22と協働する。
図12に示すとおり、押し板1の下端と、固定板10の上側面に取り付けられた4つの圧縮バネ23は、ペアで対称的に押しブロック24の両側に配置される。
【００７２】
図12に示すとおり、各押しブロック24の方形取付槽に、分別にリミット挟みブロック6が取り付けられ、図25に示すとおり、リミット挟みブロック6の2つの両側面に、2つのガイドブロック40が対称的に取り付けられる。
2つのガイドブロック40は、押しブロック24の方形ガイド槽と協働する。
リミット挟みブロック6は、対応する方形取付槽の底側面の間に、一つの第2リトラクティングバネ42が取り付けられる。
【００７３】
図7に示すとおり、上記のスライド部品8は、駆動ハンドル48、方形ブロック14、弧状台形ガイド槽15、ねじ穴16からなる。
方形ブロック14の上側には、弧状台形ガイド槽が設けられる。
方形ブロック14の下側には、ねじ穴16が設けられる。
方形ブロック14の片側には、手動操作に便利な駆動ハンドル48が設けられる。
方形ブロック14は、弧状台形ガイド槽15により、成形ガイドレールロッド2に取り付けられた円柱サポート13にスライドする。
【００７４】
ねじ穴16により、ストップロッド9を駆動し、調整するための磁石17と、タイルを切断するためのカッターガイド槽39を取り付けることができる。
弧状台形槽は、スライドプロセス中に、2つの隣接する円柱サポートが、同じ直線にないため、スライド部品が詰まることを避ける。
【００７５】
図19に示すとおり、上記のトップロッド9は、取付ロッド32、第1リセットバネ33、リミットブロック34、リミット槽35、リミットガイド槽36、リミットガイドブロック37からなる。
図20に示すとおり、取付ロッド32の一端の外側の円形表面にリミット槽35を有する。
リミット槽35の両側面に、 2つのリミットガイド槽36が対称に設けられる。
【００７６】
リミットブロック34の一端には、45度の傾斜面があり、図21に示すとおり、傾斜面のないリミットブロック34の一端には、2つのリミットガイドブロック37が対称的に取り付けられる。
リミットブロック34は2つのミットガイドブロック37により、リミット槽35と協働して取付ロッド32に取り付けられ、リミットブロック34とリミット槽35の底側面の間に、一つの第１リセットバネ33が取り付けられる。
【００７７】
図28に示すとおり、上記の取付板14の上側面には、４つの台形ガイド槽47が等間隔に設けられる。
図27に示すとおり、取付方形板45には、方形回避槽が設けられる。
方形回避槽によって、成形ガイドレールロッド2が取付方形板45と干渉することを避ける。
図26に示すとおり、取付方形板45の下側に、4つの台形ガイドブロック46が等間隔に取り付けられ、取付方形板45が、台形ガイドブロック46と台形ガイド槽47の協働により、取付板41に取り付けられ、台形ガイドブロック46と対応する台形ガイド槽47の間に、第２リセットバネ43が取り付けられる。
【００７８】
図22、23に示すとおり、上記の磁石17とカッターガイド槽39には、ネジ取付ロッド38が取り付けられる。
ネジ取付ロッド38の機能は、磁石17とカッターガイド槽39の取り付けを容易にすることである。
【００７９】
本発明のタイルカッターを使用するには、まず、スライド板を駆動し、スライド板の第2キースロット穴を底板の第１キースロット穴に移動して、円形穴を形成する。
この円形穴とサポートガイド板の円形ガイド穴の半径が互いに重なり合うところで、スライド板を固定する。
手動で成形ガイドレールロッドを一つずつ調整し、成形ガイドレールロッド2を前後にスライドする。
調整した後に、成形ガイドレールロッド2の後端を押し板１により固定する。
最後に、成形ガイドレールロッド2を円柱サポート13により駆動し、所望の弧状のトラックに形成した後、スライド部品8により磁石17を取り付け、スライド部品8を駆動し、成形ガイドレール2を円柱サポート13により駆動して、形成する弧状のレールに沿ってスライドさせ、スライド中に、磁石17により底板5にあるトップロッド9が吸い上げられることで、トップロッド9の上端が、スライド板4の上側に引っかかり、スライド板4の上側に、成形ガイドレールロッド2が円柱サポート13を駆動するレールと同じ弧状のレールになる。
その後、磁石体を取って、スライド部品８にカッターガイド槽39が取り付けられ、タイルがトップロッド9の上側に配置され、スライド部品8を駆動し、成形ガイドレールロッド2が円柱サポート13を駆動して形成された弧状のレールに沿ってスライドする。
【００８０】
これにより、カッターガイド槽39によってタイルの上側が弧状の形に切断される。
そこで、タイルの両側を手動で押し下げて、トップロッド9で形成された弧状レールに沿って、タイルを折る。
これにより、タイルの角を弧状に切断できる。
様々な型のタイルに切断することができ、これらのタイルを組み合わせることにより、新たなデザインが形成され、より美しい床面や壁面を作り出すことができる。
【符号の説明】
【００８１】
1  押し板
2  成形ガイドレールロッド
3  ガイドサポート
4  スライド板
5  底板
6  リミット挟みブロック
7  支えガイド板
8  スライド部品
9  トップロッド
10  固定板
11  ガイドシェル
12  連接柱
13  円柱サポート
14  方形ブロック
15  弧状台形ガイド槽
16  ねじ穴
17  磁石
19  ガイドブロック
20  第1リトラクティングバネ
21  挟みスロット
22  スライド槽
23  圧縮バネ
24  押しブロック
25  挟み板
26  円形ガイド穴
27  方形槽
28  第1キースロット穴
29  ガイドレール槽
30  スライドガイドレール
31  第２キースロット穴
32  取付ロッド
33  第1リセットバネ
34  リミットブロック
35  リミット槽
36  リミットガイド槽
37  リミットガイドブロック
38  ねじ取付ロッド
39  カッターガイド槽
40  ガイドブロック
41  取付板
42  第２リトラクティングバネ
43  第２リセットバネ
44  リミットストップブロック
45  取付方形板
46  台形ガイドブロック
47  台形ガイド槽
48  駆動ハンドル
【図１】
2020142509.tif 000003
【図２】
2020142509.tif 000004
【図３】
2020142509.tif 000005
【図４】
2020142509.tif 000006
【図５】
2020142509.tif 000007
【図６】
2020142509.tif 000008
【図７】
2020142509.tif 000009
【図８】
2020142509.tif 000010
【図９】
2020142509.tif 000011
【図１０】
2020142509.tif 000012
【図１１】
2020142509.tif 000013
【図１２】
2020142509.tif 000014
【図１３】
2020142509.tif 000015
【図１４】
2020142509.tif 000016
【図１５】
2020142509.tif 000017
【図１６】
2020142509.tif 000018
【図１７】
2020142509.tif 000019
【図１８】
2020142509.tif 000020
【図１９】
2020142509.tif 000021
【図２０】
2020142509.tif 000022
【図２１】
2020142509.tif 000023
【図２２】
2020142509.tif 000024
【図２３】
2020142509.tif 000025
【図２４】
2020142509.tif 000026
【図２５】
2020142509.tif 000027
【図２６】
2020142509.tif 000028
【図２７】
2020142509.tif 000029
【図２８】
2020142509.tif 000030
【図２９】
2020142509.tif 000031
【図３０】
2020142509.tif 000032